(57)【要約】【課題】本発明は、使用者がトイレ室を快適に使用でき、しかも、エネルギーの消費を極力小さくして使用コストを低く抑えることのできるトイレ室の空気制御システム及び空気制御方法の提供を目的とする。【解決手段】エアコン２と、換気扇３１を有する換気装置３と、コントローラ４とを備える。コントローラ４は、トイレ室使用開始信号及びトイレ室使用終了信号をエアコン２に送信するとともに、トイレ室使用終了信号及び換気扇作動停止信号を換気装置３に送信する。エアコン２は、トイレ室使用開始信号を受信すると作動を開始し、トイレ室使用終了信号を受信すると作動を停止する。換気装置３は、トイレ室使用終了信号を受信するとその受信時から換気扇の作動を開始し、換気扇作動停止信号を受信すると換気扇の作動を停止する。【選択図】図１
2009079799.tif 000002
【特許請求の範囲】
【請求項１】
トイレ室に設けられ冷房手段と暖房手段との少なくとも一方の手段を有する室温調整装置と、トイレ室の空気を換気する換気扇を有する換気装置と、これらの室温調整装置及び換気装置に制御信号を送信可能な管理装置とを備えたトイレ室の空気制御システムであって、
前記管理装置は、トイレ室の使用開始および使用終了を判定するトイレ室使用開始終了判定手段を備え、このトイレ室使用開始終了判定手段によって、トイレ室の使用が開始されたと判定した場合に、トイレ室使用開始信号を室温調整装置に送信するとともに、トイレ室の使用が終了したと判定した場合に、トイレ室使用終了信号を室温調整装置及び換気装置に送信し、
前記室温調整装置は、前記トイレ室使用開始信号を受信した場合にそのトイレ室使用開始信号に基づいて、作動を開始し、前記トイレ室使用終了信号を受信した場合にそのトイレ室使用終了信号に基づいて、作動を停止し、
前記換気装置は、前記トイレ室使用終了信号を受信した場合にその信号に基づいて、その信号の受信時から換気扇の作動を開始し、その受信時から一定時間経過した後に換気扇の作動を停止することを特徴とするトイレ室の空気制御システム。
【請求項２】
前記管理装置は、トイレ室に設けられた検出装置から使用開始検出信号及び使用終了検出信号を受信し、その受信した信号に基づいてトイレ室の使用開始および使用終了を判定し、
前記使用開始検出信号は、検出装置に設けられた検出センサによって、使用者がトイレ室に入室したことを検出された場合、又は、トイレ室に設けられた便座に使用者が着座したことを検出された場合に、前記検出装置から前記管理装置に送信され、
前記使用終了検出信号は、前記検出センサによって、使用者がトイレ室から退室したことを検出された場合、又は、使用者が着座した便座から離れたことを検出された場合に、前記検出装置から前記管理装置に送信されることを特徴とする請求項１記載のトイレ室の空気制御システム。
【請求項３】
前記管理装置は、前記使用終了検出信号を受信した後、設定時間経過前に、前記使用開始検出信号を受信したか否かを判定する設定時間経過判定手段を備え、この設定時間経過判定手段によって、前記設定時間経過前に受信したと判定した場合に、換気扇作動停止信号を、直ちに換気装置に送信し、前記設定時間経過前に受信していないと判定した場合に、前記換気扇作動停止信号を、前記使用終了検出信号を受信してから前記設定時間経過後に換気装置に送信し、
前記換気装置は、前記トイレ室使用終了信号を受信しその受信した信号に基づいて、そのトイレ室使用終了信号の受信時から換気扇の作動を開始し、前記換気扇作動停止信号を受信した場合にその信号に基づいて、換気扇の作動を停止することを特徴とする請求項２記載のトイレ室の空気制御システム。
【請求項４】
トイレ室に設けられ冷房手段と暖房手段との少なくとも一方の手段を有する室温調整装置とトイレ室の空気を換気する換気扇を有する換気装置とこれらの室温調整装置及び換気装置に制御信号を送信可能な管理装置とを用いてトイレ室の空気を制御する空気制御方法であって、
前記管理装置に、トイレ室の使用の開始及び終了を判定させ、トイレ室の使用が開始されたと判定した場合に、トイレ室使用開始信号を前記室温調整装置に送信させるとともに、トイレ室の使用が終了したと判定した場合に、トイレ室使用終了信号を前記室温調整装置及び前記換気装置に送信させることによって、前記室温調整装置に、前記トイレ室使用開始信号を受信した場合にその信号に基づいて作動を開始させ、前記トイレ室使用終了信号を受信した場合にその信号に基づいてその作動を終了させ、前記換気装置に、前記トイレ室使用終了信号を受信した場合にその信号に基づいて、その信号の受信時から換気扇の作動を開始させ、その信号の受信時から一定時間経過した後に換気扇の作動を停止させるようにしたことを特徴とするトイレ室の空気制御方法。
【発明の詳細な説明】
【技術分野】
【０００１】
本発明は、トイレ室の空気を制御する空気制御システム及び空気制御方法に関するものである。
【背景技術】
【０００２】
従来から、トイレ室の空気を制御するシステム等は知られている。例えばトイレ室内を暖房する暖房機器を有する便所装置が提案されている。この装置は、便所装置の使用者の操作に適した場所に設置可能であり、便所装置に対して操作指令を行うための遠隔操作盤を有し、暖房機器を、前記遠隔操作盤に設けた温度検出手段が検出した温度に応じて制御するようにしたものである（特許文献１参照）。こうすることにより、使用者が常時快適に便所装置を使用することが可能となる。
【特許文献１】特開平１０−２０４９５９号公報
【発明の開示】
【発明が解決しようとする課題】
【０００３】
しかしながら、前記特許文献１に記載のものでは、温度検出手段が検出した温度に応じて暖房機器を制御して作動させている。換言すれば、便所装置を使用していない場合にまで、暖房機器を制御して作動させている。したがって、使用者が常時快適に便所装置を使用できるとしても、エネルギーの消費が大きく、使用コストが高くついてしまうという問題点がある。
【０００４】
本発明は、使用者がトイレ室を快適に使用でき、しかも、エネルギーの消費を極力小さくして使用コストを低く抑えることのできるトイレ室の空気制御システム及び空気制御方法を提供することを目的とする。
【課題を解決するための手段】
【０００５】
前記課題を解決するために、本発明の請求項１は、トイレ室に設けられ冷房手段と暖房手段との少なくとも一方の手段を有する室温調整装置と、トイレ室の空気を換気する換気扇を有する換気装置と、これらの室温調整装置及び換気装置に制御信号を送信可能な管理装置とを備えたトイレ室の空気制御システムであって、前記管理装置は、トイレ室の使用開始および使用終了を判定するトイレ室使用開始終了判定手段を備え、このトイレ室使用開始終了判定手段によって、トイレ室の使用が開始されたと判定した場合に、トイレ室使用開始信号を室温調整装置に送信するとともに、トイレ室の使用が終了したと判定した場合に、トイレ室使用終了信号を室温調整装置及び換気装置に送信し、前記室温調整装置は、前記トイレ室使用開始信号を受信した場合にそのトイレ室使用開始信号に基づいて、作動を開始し、前記トイレ室使用終了信号を受信した場合にそのトイレ室使用終了信号に基づいて、作動を停止し、前記換気装置は、前記トイレ室使用終了信号を受信した場合にその信号に基づいて、その信号の受信時から換気扇の作動を開始し、その受信時から一定時間経過した後に換気扇の作動を停止することを特徴とするトイレ室の空気制御システムを提供する。
【０００６】
請求項２のように、前記管理装置は、トイレ室に設けられた検出装置から使用開始検出信号及び使用終了検出信号を受信し、その受信した信号に基づいてトイレ室の使用開始および使用終了を判定し、前記使用開始検出信号は、検出装置に設けられた検出センサによって、使用者がトイレ室に入室したことを検出された場合、又は、トイレ室に設けられた便座に使用者が着座したことを検出された場合に、前記検出装置から前記管理装置に送信され、前記使用終了検出信号は、前記検出センサによって、使用者がトイレ室から退室したことを検出された場合、又は、使用者が着座した便座から離れたことを検出された場合に、前記検出装置から前記管理装置に送信されることが好ましい。
【０００７】
請求項３のように、前記管理装置は、前記使用終了検出信号を受信した後、設定時間経過前に、前記使用開始検出信号を受信したか否かを判定する設定時間経過判定手段を備え、この設定時間経過判定手段によって、前記設定時間経過前に受信していないと判定した場合に、換気扇作動停止信号を、直ちに換気装置に送信し、前記設定時間経過前に受信したと判定した場合に、前記換気扇作動停止信号を、前記使用終了検出信号を受信してから前記設定時間経過後に換気装置に送信し、前記換気装置は、前記トイレ室使用終了信号を受信しその受信した信号に基づいて、そのトイレ室使用終了信号の受信時から換気扇の作動を開始し、前記換気扇作動停止信号を受信した場合にその信号に基づいて、換気扇の作動を停止することが好ましい。
【０００８】
本発明の請求項４は、トイレ室に設けられ冷房手段と暖房手段との少なくとも一方の手段を有する室温調整装置とトイレ室の空気を換気する換気扇を有する換気装置とこれらの室温調整装置及び換気装置に制御信号を送信可能な管理装置とを用いてトイレ室の空気を制御する空気制御方法であって、前記管理装置に、トイレ室の使用の開始及び終了を判定させ、トイレ室の使用が開始されたと判定した場合に、トイレ室使用開始信号を前記室温調整装置に送信させるとともに、トイレ室の使用が終了したと判定した場合に、トイレ室使用終了信号を前記室温調整装置及び前記換気装置に送信させることによって、前記室温調整装置に、前記トイレ室使用開始信号を受信した場合にその信号に基づいて作動を開始させ、前記トイレ室使用終了信号を受信した場合にその信号に基づいてその作動を終了させ、前記換気装置に、前記トイレ室使用終了信号を受信した場合にその信号に基づいて、その信号の受信時から換気扇の作動を開始させ、その信号の受信時から一定時間経過した後に換気扇の作動を停止させるようにしたことを特徴とするトイレ室の空気制御方法を提供する。
【発明の効果】
【０００９】
請求項１及び請求項４によれば、トイレ室が使用される場合には、室温調整装置の作動によって、トイレの使用者に快適感を与えることができる。また、トイレ室の使用終了後は、換気装置の換気扇の作動によって、臭気をトイレ室の外に排出でき、その後にトイレ室を使用する者に不快感を与えることを防止できる。
【００１０】
又、その際、室温調整装置を、トイレ室が使用されている間だけ、作動させるとともに、換気装置の換気扇を、トイレ室の使用後の一定時間だけ、作動させるため、エネルギーの消費を極力抑えることができ、トイレ室の使用コストを低く抑えることができる。
【００１１】
請求項２によれば、検出装置の検出センサによって、使用者のトイレ室への入退室、又は、トイレ室の便座への着脱が検出された場合に検出装置から送信されてくる信号に基づいて管理装置がトイレ室の使用開始および使用終了を判定するため、トイレ室の使用の開始および終了の判定を正確且つ確実なものにできる。
【００１２】
請求項３によれば、換気装置は、トイレ室使用終了信号に基づいて、そのトイレ室使用終了信号の受信時から換気扇の作動を開始するため、トイレ室を使用している間は、室温調整装置の作動による冷気等がトイレ室の外に逃げるのを防止でき、使用者に快適感を与え続けることができる。
【００１３】
又、トイレ室を使用している間は、必ず、換気扇の作動を停止できる。これにより、換気扇の作動に伴う音の発生を防止でき、使用者の耳障りになるようなことを防止でき、使用者に落ち着いた雰囲気を提供できる。
【発明を実施するための最良の形態】
【００１４】
以下、本発明を実施するための最良の形態について、図面を参照しながら詳細に説明する。
【００１５】
図１は、本発明の一実施の形態のトイレ室の空気制御システムの概略図、図２は、本発明の一実施の形態のトイレ室の空気制御システムに用いられるコントローラを説明するためのブロック図、図３は、同システムに用いられるエアコンを説明するためのブロック図、図４は、同システムに用いられる換気装置のブロック図である。
【００１６】
この実施形態のトイレ室の空気制御システムは、図１に示すように、トイレ室１に設けられた室温調整装置としてのエアコンディショナー（エアコン）２と、トイレ室１の空気を換気する及び換気装置３と、これらのエアコン２及び換気装置３と相互に制御信号を有線又は無線（この実施形態では無線）により送受信可能な管理装置としてのコントローラ４とを備えている。
【００１７】
コントローラ４は、この実施形態では、トイレ室１内に設けられており、図２に示すように冷暖房モード判定手段４１と、トイレ室使用開始終了判定手段としての入退室判定手段４２と、設定時間経過判定手段４３と、送信手段４４と、受信手段４５とを備えている。
【００１８】
冷暖房モード判定手段４１は、後述するエアコン２が有する冷房手段を作動させる冷房モードか、又はエアコン２が有する暖房手段を作動させる暖房モードかを判定するもので、この実施形態では、コントローラ４に付設された温度センサ（図示せず）によって検出したトイレ室１の室温の温度情報とコントローラ４に適宜設定される冷暖房モード設定温度とに基づいて判定する。
【００１９】
より詳しくは、例えば管理者や使用者等によって、冷暖房モード設定温度が２５°Ｃと設定された場合は、温度センサによって検出された検出温度が２５°Ｃ未満（検出温度＜冷暖房モード設定温度）であると、暖房モードと判定し、一方、検出された温度が２５°Ｃ以上（検出温度＞冷暖房モード設定温度及び検出温度＝冷暖房モード設定温度）であると、冷房モードと判定する。
【００２０】
又、コントローラ４は、冷暖房モード判定手段４１によって、暖房モードと判定した場合は、暖房モード信号を生成し、冷房モードと判定した場合は、冷房モード信号を生成する。
【００２１】
入退室判定手段４２は、トイレ室に設けられた検出装置から受信した使用開始検出信号及び使用終了検出信号に基づいて、トイレ室の使用開始および使用終了を判定する。
【００２２】
詳しくは、トイレ室１には、図示しないが、検出センサを有する検出装置が設けられている。また、この実施形態の検出センサは、トイレ室１の内壁面に設置された赤外線センサから構成され、使用者がトイレ室１に入ってくる（入室）とその入室を検出するとともに、その入室した使用者がトイレ室１から出て行く（退室）とその退室を検出する。
【００２３】
又、検出装置は、検出センサが入室を検出した場合に、トイレ室１の使用開始を検出した旨の使用開始検出信号をコントローラ４に送信し、一方、検出センサが退室を検出した場合に、トイレ室１の使用終了を検出した旨の使用終了検出信号をコントローラ４に送信する。
【００２４】
そして、それらを受信したコントローラ４は、使用開始検出信号を受信した場合にその信号に基づいてトイレ室の使用が開始されたと判定し、使用終了検出信号を受信した場合にその信号に基づいてトイレ室の使用が終了したと判定する。
【００２５】
又、コントローラ４は、トイレ室の使用が開始されたと判定した場合は、トイレ室１の使用が開始された旨のトイレ室使用開始信号を生成し、一方、トイレ室の使用が終了したと判定した場合は、トイレ室１の使用が終了した旨のトイレ室使用終了信号を生成する。
【００２６】
設定時間経過判定手段４３は、上記使用終了検出信号を検出装置から受信した後、後述の換気扇３１のディレイオフ時間（遅れて切る時間）として設定した設定時間（例えば５分）経過前に、検出装置から使用開始検出信号を受信したか否かを判定する。
【００２７】
送信手段４４は、例えば上記トイレ室使用開始信号をエアコン２及び換気装置３に送信する。又、送信手段４４は、例えば上記トイレ室使用終了信号をエアコン２に送信する。更には、送信手段４４は、例えば暖房モード信号あるいは冷房モード信号をエアコン２に送信する。
【００２８】
受信手段４５は、例えば上記トイレ室使用開始信号等を受信した旨の応答信号をエアコン２及び換気装置３から受信する。
【００２９】
又、コントローラ４は、図示しないが、記録装置であるメモリ、制御装置であるＣＰＵ、表示装置である表示部、入力装置であるボタンキー、エアコン２及び換気装置３と通信するための通信インターフェース等を備えている。
【００３０】
そして、上記ＣＰＵは、図２の冷暖房モード判定手段４１、入退室判定手段４２、設定時間経過判定手段４３、送信手段４４、受信手段４５として機能する。
【００３１】
次に、エアコン２について説明する。この実施形態のエアコン２は、冷房手段と、暖房手段と、送風ファン２６とを備えたヒートポンプ式冷温風発生装置から構成されている。
【００３２】
冷房手段及び暖房手段は、例えば図１に示すように、冷媒を圧縮する圧縮機２１、室外熱交換機２２、室内熱交換機２４等を備えており、これらによって発生させた冷気又は暖気を、室内熱交換機２４の上部側に開設された開口部２５からトイレ室１内に放出する。又、この実施形態では、開口部２５は、トイレ室１の内部におけるほぼ下方部に配設されている。
【００３３】
送風ファン２６は、開口部２５に設けられており、この送風ファン２６が作動することによって、上記発生させた冷気又は暖気を開口部２５から冷風又は温風にしてトイレ室１内に出すようになっている。
【００３４】
エアコン２は、図３に示すように、作動開始手段２７と、作動停止手段２８と、受信手段２９と、送信手段３０とを備えている。
【００３５】
作動開始手段２７は、コントローラ４からトイレ室使用開始信号を受信した場合にそのトイレ室使用開始信号に基づいてその受信時から冷房又は暖房手段を作動させる。
【００３６】
作動停止手段２８は、トイレ室使用終了信号を受信した場合にそのトイレ室使用終了信号に基づいて上記作動を停止させる。
【００３７】
受信手段２９は、例えば上記トイレ室使用開始信号、トイレ室使用終了信号、暖房モード信号あるいは冷房モード信号をコントローラ４から受信する。
【００３８】
送信手段３０は、例えば上記トイレ室使用開始信号等を受信した旨の応答信号をコントローラ４に送信する。
【００３９】
又、エアコン２は、図示しないが、記録装置であるメモリ、制御装置であるＣＰＵ、表示装置である表示部、入力装置であるボタンキー、コントローラ４と通信するための通信インターフェース等を備えている。
【００４０】
そして、上記ＣＰＵは、図３の作動開始手段２７、作動停止手段２８、受信手段２９、送信手段３０として機能する。
【００４１】
次に、換気装置３について説明する。この換気装置３は、図１に示すように、換気扇３１を備え、トイレ室１における上方側であって、トイレ室１内に設けられた便器５を挟んで上記エアコン２の開口部２５のななめ上方側に配設されている。
【００４２】
又、換気装置３は、図４に示すように、換気扇作動開始手段３２と、換気扇作動停止手段３３と、受信手段３４と、送信手段３５とを備えている。この実施形態における換気扇作動開始手段３２は、前記トイレ室使用終了信号をコントローラ４から受信した場合にその信号に基づいて、その信号の受信時から換気扇３１の作動を開始する。
【００４３】
換気扇作動停止手段３３は、前記換気扇作動停止信号をコントローラ４から受信した場合にその信号に基づいて、換気扇３１の作動を停止する。
【００４４】
受信手段３４は、例えばトイレ室使用終了信号、換気扇作動停止信号をコントローラ４から受信する。
【００４５】
送信手段３５は、例えば上記トイレ室使用開始信号等を受信した旨の応答信号をコントローラ４に送信する。
【００４６】
又、換気装置３は、図示しないが、記録装置であるメモリ、制御装置であるＣＰＵ、表示装置である表示部、入力装置であるボタンキー、コントローラ４と通信するための通信インターフェース等を備えている。
【００４７】
そして、上記ＣＰＵは、図４の換気扇作動開始手段３２、換気扇作動停止手段３３、受信手段３４、送信手段３５として機能する。
【００４８】
以上のように構成された上記実施形態におけるコントローラ４とエアコン２との相互の動作について、図５を参照して説明する。
【００４９】
尚、コントローラ４は、上述のように管理者等によって冷暖房モード設定温度が入力されると、その入力された温度と、温度センサによる検出温度とに基づいて暖房モード又は冷房モードと判定し、暖房モードと判定した場合は、暖房モード信号を生成してエアコン２に送信し、冷房モードと判定した場合は、冷房モード信号を生成してエアコン２に送信する。そして、エアコン２は、暖房モード信号を受信した場合は、その信号に基づいて暖房手段を作動させて暖房モードで低出力運転を行い、一方、冷房モード信号を受信した場合は、その信号に基づいて冷房手段を作動させて冷房モードで低出力運転を行う。以下、この状態から説明する。
【００５０】
まず、コントローラ４は、検出装置からの使用開始検出信号の受信に基づいて、トイレ室１に使用者が入室されたか否かを判定する（図５、ステップＳ１）。
【００５１】
上記ステップＳ１において、トイレ室１に使用者が入室されたと判定した場合、コントローラ４は、トイレ室使用開始信号をエアコン２に送信する（図５、ステップＳ２）。一方、トイレ室１に使用者が未だ入室されないと判定した場合は、コントローラ４は、トイレ室１への使用者の入室を待つ。このステップＳ１が上記入退室判定手段４２に対応する。
【００５２】
トイレ室使用開始信号を受信したエアコン２は、その信号に基づいてその受信時から作動を開始する（図５、ステップＳ１１）。尚、トイレ室使用開始信号を受信したエアコン２は、受信した旨の応答信号をコントローラ４に送信するが、この説明は省略している。以下の説明においても同じである。
【００５３】
コントローラ４は、検出装置からの使用終了検出信号の受信に基づいて、入室された使用者が退出されたか否かを判定する（図５、ステップＳ３）。
【００５４】
ステップＳ３において、退出されたと判定した場合、コントローラ４は、トイレ室使用終了信号をエアコン２（及び換気装置３）に送信する（図５、ステップＳ４）。一方、未だ退室されてないと判定した場合、コントローラ４は、退室を待つ。
【００５５】
トイレ室使用終了信号を受信したエアコン２は、その信号に基づいて作動を停止する（図５、ステップＳ１２）。
【００５６】
次に、図６、図７を参照して、コントローラ４と換気装置３との相互の動作について説明する。コントローラ４は、上述のステップＳ１〜ステップＳ３を経て、ステップＳ４でトイレ室使用終了信号をエアコン及び換気装置３に送信すると、これを受信した換気装置３は、その信号に基づいてその受信時から換気扇３１の作動を開始させる（図５、ステップＳ２１）。
【００５７】
その後、コントローラ４は、検出装置から使用終了検出信号を受信した後、設定時間経過前に、再度、トイレ室への入室があったか否か、換言すれば、設定時間経過前に、再度、検出装置から使用開始検出信号を受信したか否かを判定する（図７、ステップＳ５）。このステップＳ５が、設定時間経過判定手段４３に対応する。
【００５８】
そして、上記ステップＳ５において、再度の入室があったと判定した場合、コントローラ４は、換気扇作動停止信号を、直ちに換気装置３に送信する（図７、ステップＳ６）。
【００５９】
一方、上記ステップＳ５において、再度の入室がなかったと判定した場合、コントローラ４は、換気扇作動停止信号を、検出装置から使用終了検出信号を受信してから設定時間経過後に換気装置３に送信する（図７、ステップＳ７）。
【００６０】
これを受信した換気装置３は、換気扇の作動を停止する（図７、ステップＳ２２）。以上のエアコン２と換気装置３との動作による運転状況を、時間軸に沿って表すと図８に示すものとなる。尚、この図８では、設定時間の経過前に再度の入室がない場合を例示している。
【００６１】
尚、上記実施形態では、コントローラ４は、使用者の入退室を検出する検出センサによる検出に基づいて、トイレ室の使用の開始及び終了を判定しているが、この形態のものに限らず、適宜変更し得る。
【００６２】
例えば便器５に設けられた便座又は便器近傍の床面に圧力センサを設けておき、使用者が着座した場合に圧力センサにかかる圧力の変化によって、あるいは、便器の下部に距離センサを設けておき、使用者が着座した場合に使用者の足が距離センサを遮ることによる距離の変化によって、使用者が便座への着座を検出した場合の信号に基づいてトイレ室の使用の開始を判定するとともに、使用者が着座した便座から離れたことを検出した場合の信号に基づいてトイレ室の使用の終了を判定するようにしても良い。
【００６３】
更には、トイレ室のドアの開閉を検出する検出センサを設置してその開閉検出センサによるドアの開閉の検出に基づいてトイレ室の使用の開始及び終了を判定しても良い。
【００６４】
又、上記実施形態では、室温調整装置２として暖房手段及び冷房手段を有するエアコンから構成しているが、この形態のものに限らず、適宜変更でき、例えば室温調整装置２を、冷房手段を有さない暖房装置から構成し、あるいは、暖房手段を有さない冷房装置から構成しても良い。又、室温調整装置２を、例えばヒーターパネル等の輻射手段を備えたもの、あるいは、ガス又は電気式のストーブ等から構成しても良い。
【００６５】
又、上記実施形態では、換気扇を、コントローラ４から受信した換気扇停止信号に基づいて停止させているが、例えば換気装置がコントローラ４から換気扇停止信号を受信することなくトイレ室使用終了信号の受信時から予め定めた一定時間経過後に換気扇の作動を停止するようにしても良い。コントローラ４が換気扇停止信号を換気装置に送信する場合において、その送信する時期は、特に限定されず、適宜変更できる。
【００６６】
また、上記実施形態では、コントローラ４を、室温調整装置及び換気装置と別体のものから構成しているが、この形態のものに限らず、室温調整装置と換気装置との一方または両方に組み込むようにしても良い。
【図面の簡単な説明】
【００６７】
【図１】本発明の一実施の形態のトイレ室の空気制御システムの概略図である。
【図２】本発明の一実施の形態のトイレ室の空気制御システムに用いられるコントローラを説明するためのブロック図である。
【図３】同システムに用いられるエアコンを説明するためのブロック図である。
【図４】同システムに用いられる換気装置のブロック図である。
【図５】コントローラとエアコンとの相互の動作を説明するためのフローチャートである。
【図６】コントローラと換気装置との相互の動作を説明するためのフローチャートの一部である。
【図７】コントローラと換気装置との相互の動作を説明するためのフローチャートの他の一部である。
【図８】エアコンと換気装置との運転状況の説明図である。
【符号の説明】
【００６８】
１    トイレ室
２    エアコン（室温調整装置）
３    換気装置
４    コントローラ（管理装置）
３１    換気扇
【図１】
2009079799.tif 000003
【図２】
2009079799.tif 000004
【図３】
2009079799.tif 000005
【図４】
2009079799.tif 000006
【図５】
2009079799.tif 000007
【図６】
2009079799.tif 000008
【図７】
2009079799.tif 000009
【図８】
2009079799.tif 000010